(57)【要約】  要約書炭火を収容するための折り畳み可能なグリルであって、該折り畳み可能なグリルは：（ａ）本体であって、空の内部容積を少なくとも部分的に有する、前記本体；（ｂ）第１のグリル部および第２のグリル部であって、前記第１のグリル部および第２のグリル部は、ヒンジ式に相互に連結し、前記本体とスライド可能に連通する第１のグリル部および第２のグリル部、を備え、前記折り畳み可能なグリルは、開いた構成および閉じた構成との間で移動可能なように適合し、ここで、前記閉じた構成において、前記第１のグリル部および第２のグリル部は、前記空の内部容積内に配置される。【選択図】図１
2021511940.tif 000002
【特許請求の範囲】
【請求項１】
炭火を収容するための折り畳み可能なグリルであって、
（ａ）本体であって、空の内部容積を少なくとも部分的に有する、前記本体；
（ｂ）第１のグリル部および第２のグリル部であって、前記第１のグリル部および前記第２のグリル部は、ヒンジ式に相互に連結し、前記本体とスライド可能に連通する第１のグリル部および第２のグリル部、を備え、前記折り畳み可能なグリルは、開いた構成および閉じた構成との間で移動可能なように適合し、前記閉じた構成において、前記第１のグリル部および第２のグリル部は、前記空の内部容積内に配置されることを特徴とする、折り畳み可能なグリル。
【請求項２】
前記第１のグリル部および前記第２のグリル部は、折り畳み可能なグリルを、前記開いた構成から前記閉じた構成に切り替えるために、蝶のような拡張板開閉機構によってヒンジ式に相互に連結されることを特徴とする、請求項１に記載の折り畳み可能なグリル。
【請求項３】
前記開いた構成において、前記第１のグリル部および前記第２のグリル部が水平な向きにあり、および前記閉じた構成において、前記第１のグリル部および前記第２のグリル部が実質的に垂直な向きにあることを特徴とする、請求項１に記載の折り畳み可能なグリル。
【請求項４】
前記開いた構成において、前記第１のグリル部および前記第２のグリル部が前記本体の少なくともいくつかの側壁の上縁の上に位置づけられることを特徴とする、請求項１に記載の折り畳み可能なグリル。
【請求項５】
前記第１のグリル部および第２のグリル部は、ガイドシステムを介して本体とのスライド可能な連通にあることを特徴とする、請求項１に記載の折り畳み可能なグリル。
【請求項６】
前記ガイドシステムは、前記本体の内部面に取り付けられた２つの細長いＹ形のチャネルを前記本体の各側面に１つずつ含むことを特徴とする、請求項５に記載の折り畳み可能なグリル。
【請求項７】
前記Ｙ形のチャネルの各々は、前記Ｙ形のチャネルの別れた先の上縁に取り付けられた２つのホイールを有し、前記開いた構成から前記閉じた構成に移動する時、前記第１のグリル部および前記第２のグリル部が前記ホイールの上を進むように適合することを特徴とする、請求項６に記載の折り畳み可能なグリル。
【請求項８】
前記グリル部の各々は、前記グリル部の裏面に貼付されたブッシングをさらに含むことを特徴とする、請求項６に記載の折り畳み可能なグリル。
【請求項９】
前記第１のグリル部および前記第２のグリル部が前記閉じた構成に移動される時、前記ブッシングの各々は、それぞれの前記Ｙ形のチャネルに入り、中を進むことを特徴とする、請求項８に記載の折り畳み可能なグリル。
【請求項１０】
前記本体の後壁の基部において取り付けられた１組のホイールをさらに含むことを特徴とする、請求項１に記載の折り畳み可能なグリル。
【請求項１１】
前記本体の基部の近くに、前記開いた構成における前記グリル部と平行に、前記本体の両側に配された一対の支持体をさらに含むことを特徴とする、請求項１に記載の折り畳み可能なグリル。
【請求項１２】
前記一対の支持体は拡張不能であることを特徴とする、請求項１１に記載の折り畳み可能なグリル。
【請求項１３】
前記一対の支持体は可逆的に拡張可能であることを特徴とする、請求項１１に記載の折り畳み可能なグリル。
【請求項１４】
前記第１のグリル部および前記第２のグリル部の各々が、
（ｉ）固体燃料を保持することに適合した隔室；および、
（ｉｉ）グリル面としての使用に適合した格子、を含むことを特徴とする、請求項１に記載の折り畳み可能なグリル。
【請求項１５】
前記隔室は、前記隔室の少なくとも１つの側壁の下側部に配置された、複数の通気口、通気孔、または通気スロットを含むことを特徴とする、請求項１４に記載の折り畳み可能なグリル。
【請求項１６】
前記通気口、通気孔、または通気スロットの１つ以上は、覆れない、部分的に覆われる、および完全に覆いを外されることに適合することを特徴とする、請求項１５に記載の折り畳み可能なグリル。
【請求項１７】
前記グリル部の各々は、
（ｉｉｉ）グリルネットをさらに含み、前記グリルネットは、前記格子と前記隔室の底の内側表面との間に配置され、および、その中に通気孔を形成された中実な平面形状を有し、灰がグリルネットの上の前記可燃性燃料から前記グリルネットより下へ下降してフィルタされ、および、空気が前記グリルネットの下から、前記グリルネットの上の可燃性の燃料へと通り抜けるように適合することを特徴とする、請求項１４に記載の折り畳み可能なグリル。
【請求項１８】
前記グリル部の各々は、
（ｉｖ）加熱効率間仕切りをさらに含み、前記加熱効率間仕切りは、薄い間仕切りであり、前記グリッドネットと同じサイズおよび形を有し、および前記グリッドネットと前記隔室の底との間に配置され、前記加熱効率間仕切りは閉じた構成にある時だけ適所にあるように適合することを特徴とする、請求項１７に記載の折り畳み可能なグリル。
【請求項１９】
（ｃ）引き出しをさらに含み、前記引き出しは、前記本体の前壁に取り出し可能に挿入され、および前記本体の前記空の内部容積より下に配置され、前記引き出しは、前記閉じた構成にある時、前記グリル部のフットエンドにおける開口部から落下する灰を収容することに適合することを特徴とする、請求項１に記載の折り畳み可能なグリル。
【請求項２０】
前記引き出しは、前記引き出しの中に配置された引き出し格子を含み、および、前記引き出し格子は、点火材料を収容することに適合し、ここで、前記閉じた構成において前記点火材料を燃焼させることにより煙突効果をもたらすことを特徴とする、請求項１９に記載の折り畳み可能なグリル。
【発明の詳細な説明】
【技術分野】
【０００１】
本発明は、バーベキューグリル、およびとりわけ、垂直の柱の中へ折り畳まれ、小ぎれいに見え、最小限の空間しか占めず、容易に保管可能である、折り畳み可能なグリルに関する。
【背景技術】
【０００２】
バーベキューを行うことは日曜の午後または時折の休日を過ごす、素晴らしい方法であるが、しかしながら、使用の間、数週間、および時には数か月の残りの日々については、グリルはポーチに居座り、空間を占めて、目障りなように見え、妻を悩まし、および雨の中で錆びる。
【０００３】
さらに、炭火焼グリルは、より味の豊かな調理品を生成すると普遍的に認められているが、しかしながら、炭火焼グリルの準備に必要な努力、時間、および技術は、この選択を魅力のないものにしている。炭火焼グリルのために、炭の汚いブリケットを扱うことが必要である。火を燃えさせるために、新聞紙などと共にこれらを配置する必要がある。白いグレイの灰で覆われるまで、炭またはブリケットは燃える必要がある。石炭は、方法および／または使用される（チムニースタータなどの）追加の装置に依存して、１５〜３５分のいずれかの時点で燃える必要があるだろう。
【発明の概要】
【０００４】
本発明は、折り畳み可能で、上品且つ容易に保管されるグリルを提供することにより、現在知られている構成の欠点に首尾よく取り組む。閉じた／折り畳まれた状態においてグリルするために、石炭は速やかに準備することができる。さらに、グリルは、効率的且つ均一な加熱を確かなものにするために、ユニットを通る気流を改善するように設計されており、それによってグリルを行う間、食品が全体にわたって一様に加熱されるように、熱のむらを減らす。
【０００５】
本発明によると、炭火を収容するための折り畳み可能なグリルが提供され、該折り畳み可能なグリルは：（ａ）本体であって、空の内部容積を少なくとも部分的に有する、前記本体；（ｂ）第１のグリル部および第２のグリル部であって、前記第１のグリル部および前記第２のグリル部は、ヒンジ式に相互に連結し、前記本体とスライド可能に連通する第１のグリル部および第２のグリル部、を備え、前記折り畳み可能なグリルは、開いた構成および閉じた構成との間で移動可能なように適合し、ここで、前記閉じた構成において、前記第１のグリル部および前記第２のグリル部は、前記空の内部容積内に配置される。
【０００６】
下記に述べられた、本発明の好ましい実施形態におけるさらなる特徴によると、第１のグリル部および第２のグリル部は、折り畳み可能なグリルを開いた構成から閉じた構成に切り替えるために、蝶のような拡張板（ｂｕｔｔｅｒｆｌｙ−ｌｅａｆ）開閉機構によってヒンジ式に相互に連結される。
【０００７】
開いた構成における、記載された、好ましい実施形態の、またさらなる特徴によると、第１のグリル部および第２のグリル部は水平の向きにあり、および、閉じた構成において、第１のグリル部および第２のグリル部は実質的に垂直の向きにある。
【０００８】
開いた構成におけるさらなる特徴によると、第１のグリル部および第２のグリル部は、少なくとも本体のいくつかの側壁の上部端の上に位置する。さらなる特徴によると、第１のグリル部および第２のグリル部は、ガイドシステムを介して本体とスライド可能に連通する。さらなる特徴によると、ガイドシステムは、本体の内部面に取り付けられた２つの細長いＹ形のチャネルを本体の各側面に１つずつ含む。
【０００９】
さらなる特徴によると、Ｙ形のチャネルの各々は、Ｙ形のチャネルの別れた先の上縁に取り付けられた２つのホイールを有し、開いた構成から閉じた構成に移動する時、第１のグリル部および第２のグリル部が前記ホイールの上を進むように適合する。
【００１０】
さらなる特徴によると、グリル部の各々は、グリル部の裏面に貼付されたブッシングをさらに含む。さらなる特徴によると、第１のグリル部および第２のグリル部が閉じた構成に移動される時、ブッシングの各々は、それぞれのＹ形スロットに、入り、中を進む。
【００１１】
さらなる特徴によると、折り畳み可能なグリルは、本体の後壁の基部において取り付けられた１組のホイールをさらに含む。
【００１２】
さらなる特徴によると、折り畳み可能なグリルは、本体の基部の近くに、開いた構成におけるグリル部と平行に、本体の両側に配された一対の支持体をさらに含む。さらなる特徴によると、前記一対の支持体は拡張不能である。さらなる特徴によると、前記一対の支持体は可逆的に拡張可能である。
【００１３】
さらなる特徴によると、第１のグリル部および第２のグリル部の各々は、（ｉ）固体燃料を保持することに適合した隔室；および、（ｉｉ）グリル面としての使用に適合した格子、を含む。さらなる特徴によると、隔室は、隔室の少なくとも１つの側壁の下側部に配置された、複数の通気口、通気孔、または通気スロットを含む。
【００１４】
さらなる特徴によると、通気口、通気孔、または通気スロットの１つ以上は、覆れない、部分的に覆われる、および完全に覆いを外されることに適合する。
【００１５】
さらなる特徴によると、グリル部の各々は、（ｉｉｉ）グリルネットをさらに含み、前記グリルネットは、格子と隔室の底の内側表面との間に配置され、および、その中に通気孔を形成された中実な平面形状を有し、灰がグリルネットの上の可燃性燃料からグリルネットより下へ下降してフィルタされ、および、空気がグリルネットの下から、前記グリルネットの上の可燃性の燃料へと通り抜けるように適合する。
【００１６】
さらなる特徴によると、グリル部の各々は、（ｉｖ）加熱効率間仕切りを含み、前記加熱効率間仕切りは薄い間仕切りであり、グリッドネットと同じサイズおよび形を有し、およびグリッドネットと隔室の底の表面との間に配置され、加熱効率間仕切りは閉じた構成にある時だけ適所にあるように適合する。
【００１７】
さらなる特徴によると、折り畳み可能なグリルは、（ｃ）引き出しをさらに含み、前記引き出しは、本体の前壁に取り出し可能に挿入され、および本体の空の内部容積より下に配置され、前記引き出しは、閉じた構成にある時、グリル部のフットエンドにおける開口部から落下する灰を収容することに適合する。
【００１８】
さらなる特徴によると、引き出しは、引き出しの中に配置された引き出し格子を含み、および、引き出し格子は、点火材料を収容することに適合し、ここで、閉じた構成において点火材料を燃焼させることにより煙突効果をもたらす。
【図面の簡単な説明】
【００１９】
様々な実施形態は、添付の図面を参照して、ほんの一例として本明細書に記載される：
【００２０】
【図１】開状態における折り畳み可能なグリル（１０）の、わずかに斜視の、正面等角図である；
【図１Ａ】開状態における折り畳み可能なグリルの正面図である；
【図１Ｂ】格子を伴わない、折り畳み可能なグリル（１０）の等角斜視図である；
【図１Ｃ】折り畳み可能なグリル（１０）の線画の平面図である；
【図１Ｄ】折り畳み可能なグリル（１０）の線画の底面図である；
【図１Ｅ】本体（２００）の前壁および側壁を見えなくした、折り畳み可能なグリル（１０）の等角斜視図である；
【図１Ｆ】図１ＡのＡ−Ａ断面図である；
【図１Ｇ】第３の実施形態による、開状態における折り畳み可能なグリル（１０）の前からの等角斜視図である；
【図２】閉状態における折り畳み可能なグリル（１０）の前面の等角図である；
【図２Ａ】閉状態における、折り畳み可能なグリル（１０）の背面の等角図である；
【図２Ｂ】閉状態における、折り畳み可能なグリル（１０）の側面図である；
【図２Ｃ】図２Ｂの断面Ｂ−Ｂの横断面図である。
【発明を実施するための形態】
【００２１】
本明細書において、折り畳み可能なグリルが開示される。折り畳み可能なグリルは、多くの部分からなる単一ユニットであり、部分のいくつかは移動可能であり、およびいくつかは移動しない。グリルには２つの基本部分があり、各々は様々な構成要素からなる。１つの部分はグリル領域とその様々な構成要素である。別の部分は、本体とその様々な構成要素である。一実施形態において、前記部分は相互に取り付けられ、分解することなく分離することができない。別の実施形態において、前記部分は連携して使用されるように構成されるが、工具および／または高度な分解作業を伴わずに分離され得る。前述の実施形態の両方において、２つの部分は互いに連携して使用されるように構成される。
【００２２】
あたかも各実施形態について完全に記載されるかのように、本発明の一実施形態のために提供される、構造または機能のいかなる記述も、他のすべての実施形態に適合するように意図されることは明確にされる。所与の機能的または構造的な特徴が１つ以上の代替の構成と互換性がない場合にのみ、その非互換性の特徴が、それと非互換性である実施形態の一部とは考えられないことは明らかである。
【００２３】
グリルする部分は、２つの「翼部」または「拡張板（ｌｅａｖｅｓ）」で構成され、通常グリル部として言及され、ヒンジ式に相互に連結される。本明細書において、用語「翼部」、「拡張板」、および「グリル部」は、それらのバリエーションと同様に、すべて交換可能に使用される。ヒンジは、翼部／拡張板が垂直な向きにおいて相互に折り畳まれること、または、水平な向きにおいて平らで二次元的に開いた状態になることのどちらも可能にする。そのようなヒンジは時々「バタフライヒンジ（ｂｕｔｔｅｒｆｌｙ  ｈｉｎｇｅ）」または「バタフライメカニズム（ｂｕｔｔｅｒｆｌｙ  ｍｅｃｈａｎｉｓｍ）」と呼ばれる。
【００２４】
本体部分は台または柱の形をしている。本体は、少なくとも部分的に空の内部空間または容積、引き出し、および、地面において本体を支持し、および安定させるための部分（例えばホイール、拡張可能なケーシング脚）を含む。引き出し、および他のところで説明した様々な結合片を除いて、本体は全般的に中空であり、そのことが優れた通気および煙突効果を可能にする。
【００２５】
折り畳み可能なグリルには２つの状態がある。１つの状態は閉状態である。別の状態は開状態である。閉状態において、グリル部は、空の内部エリアの内側に折り畳まれた構成にあり、それによって拡張板は（本の一葉（ｌｅａｖｅｓ  ｏｆ  ａ  ｂｏｏｋ）のように）相互に折り畳まれて、本体部分の内側に配置される。前記の別の方法では、折り畳まれた構成において、グリル部（すなわち翼部）は、蝶の翼部のように折り畳まれて、垂直な向きにおいて相互に押し付けられ、および本体の空の内部空間の中へ挿入される。
【００２６】
開状態において、グリル部は、長い連続面（グリル面）を形成するために、並行して、開いて置かれ、それは、これ以降、開いた構成と呼ばれる。用語「開いて置かれた構成」は、用語「開いた構成」と交換可能に使用される。開いた構成／状態において、折り畳み可能なグリル（または少なくとも折り畳み可能なグリルのグリル部）には、普通のグリルと同じ一般的な外観がある。
【００２７】
混乱を防ぐため、用語「折り畳まれた状態」、「閉状態」、「折り畳まれた構成」、および「閉じた構成」（そのバリエーションも同様に）が本明細書において交換可能に使用されることは、ここで明らかにされる。閉状態は、グリル部が折り畳まれた構成にあることを本質的に意味する。用語「折り畳まれた状態」は同様に、閉状態および折り畳まれた構成を指す。同様に、用語「開状態」、「開いた構成」、および、「開いて置かれた構成」は、そのバリエーションも同様に、本明細書において交換可能に使用される。従って、開状態は、グリル部に、開いた構成にあるという意味を与える。
【００２８】
本発明による折り畳み可能なグリルの原理および動作は、図面および付随する説明への参照により、一層よく理解される場合がある。
【００２９】
図１は、開状態（上に、および以下に記載されたような）における折り畳み可能なグリル（１０）の、わずかに斜視の正面等角図を例示する。開状態において、グリル領域（１００）は、折り畳み可能なグリル（１０）の本体（２００）の主要部の上に、一般的な方法で、位置づけられる。グリル領域（１００）は第１のグリル部（１２０）および第２のグリル部（１２０）を含み、総体としてグリルまたはグリル部（１２０）と呼ばれる。（順序的な用語「第１の」および「第２の」は、ここで使用されたように、任意であり、順序を表す意図はない。）両方のグリル部（１２０）は同じ構造および機能を有しており、および従って、同じ参照番号を共有する。グリル部（１２０）はヒンジ式に相互に連結される。
【００３０】
図１Ａは、開状態における折り畳み可能なグリルの正面図を例示する。図１Ｂは、格子を伴わない、折り畳み可能なグリル（１０）の等角斜視図を例示する。図１Ｃは、折り畳み可能なグリル（１０）の線画の平面図である。図１Ｄは、折り畳み可能なグリル（１０）の線画の底面図である。
【００３１】
第１の実施形態において、グリル部（１２０）は各々、グリッドまたは格子（１２４）で覆われた水盤型の隔室（１２２）から成る。格子（１２４）は熱い石炭の上で食物を料理するために使用される金属フレームである。用語「グリル」は「格子（１２４）」と同義的に使用することができる場合があるが、しかしながら、同じ言葉の動詞としての使用と、同じ言葉の、全装置への言及を伴う名詞の使用との間の混乱を回避するために、隔室（１２２）のワイヤー・カバーに言及する時、用語「格子」が使用される。
【００３２】
水盤のような隔室（１２２）は、火のための燃料を収容することに適合する。燃料はいかなるタイプの固体の可燃材料であり得る。固体燃料の一般的な例は、木材、炭、ピート、石炭、ヘキサミン燃料タブレット、木質ペレット、トウモロコシ、小麦、ライ麦、および他の穀類を含む。便宜と明確性のために、本明細書において、用語「可燃材料」（およびそのバリエーション）は、これまでに挙げられた可燃材料のうちのいずれか１つと交換可能に使用される。従って、１つの用語「石炭」の使用は、いかなる意味においても制限するようには意図されず、および、等しく他の適用可能なタイプの可燃材料を指す。
【００３３】
火が効果的に燃焼するために、可燃材料への適切な通気を供給することが必要である。その目的のために、通気口（１２６）は隔室（１２２）の壁に形成される。好ましくは、通気口／通気孔は、隔室（１２２）の壁の下側部分に配置される。図１Ａおよび図１Ｃにおいて最もよく見られるように、通気口（１２６）は、グリル部（１２０）の斜角がつけられたパネルまたは壁の区画上に描写されている。通気口は隔室の１つ以上の側壁にある場合がある。
【００３４】
通気口（１２６）は単に典型的な構成において描写される。描写された構成は、いかなる意味においても制限するようには意図されない。描写された構成は４つの通気孔を伴うサーキュラー（ｃｉｒｃｕｌａｒ）である。対応する孔部を備えたサーキュラー・プレートは、通気孔の上に回転自在に付けられる。所望する通気の量に応じて、ユーザーは、通気孔を覆うように、一部覆わないように、または、完全に覆いを取るように、のいずれかに、プレートを回転させる。
【００３５】
代替的な構成において、隔室の側壁の下部部分に沿って配置された一続きの通気スロットがある。例えば、描写された構成に適合する場合、通気スロットは、各々の隔室（１２２）の斜角が付けられたパネルまたは壁の区画に沿って配置される。グリル部（１２０）は、隔室（１２２）内に配置され、隔室（１２２）の斜角が付けられた壁の区画に沿って存在する、スライド可能なパネルをさらに含む。スライド可能なパネルは、隔室壁における開口部を通って、隔室の外に伸展し、ハンドルにおいて終結する。好ましくは、ハンドルは、例えば木材やセラミックなど、熱をあまり伝導しない材料で作られたグリップで覆われる。隔室からパネルを引き出すことにより、通気スロットは開かれる。パネルが隔室からさらに引き出されるとき、ヒンジに近いスロットから始まり、および外へ動いて、更に多くのスロットは開かれる。スロットが開いているところで、火は、増加した通気のため、より熱くなる。
【００３６】
第１の実施形態に（および通気開口部の両方のバリエーションに等しく）さらに言及すると、開状態において、グリル部（１２０）は本体（２００）の上に載っている。描写された、折り畳み可能なグリル（１０）の典型的な構成において、グリル部（１２０）は、本体の８つの側面のうちの６つの側面の上縁に載っている。本体の残りの２つの側面は他の６つより高く、および、２つのグリル部の間のヒンジのある端部で、それらの間にグリル部をはさむ。
【００３７】
さらに説明すると、開状態／構成において、グリル部（１２０）は、本体（２００）の側面の、開放端、上部の上縁の少なくとも大部分にわたって存在する。用語本体の「上部」および本体の側面の「上」縁は、本体（２００）の開放端を指し（また、本明細書において上部開口部、口、およびそれらのバリエーションも指し）、それは、地面または他の床面に立っている、または隣接する、本体の基部または下端の反対側に位置付けられる。
【００３８】
折り畳み式のグリルを記載することを付加的に助けるため、以下、グリル部の側面の各々がそれらの用語を用いて記載される。各グリル部（１２０）は、上部、底、ヘッドエンド、フットエンド、前側面および後側面がある。グリル部の上部は格子（１２４）が置かれる場所である。グリル部の底は隔室（１２２）の下部表面である。隔室のヘッドエンドはハンドルが接続される隔室の側壁である。隔室のフットエンドはヒンジが付けられている隔室の側壁である。隔室の前側面は、引き出しおよび引き出しハンドルと同じ側面にある、隔室の側壁である。隔室（１２２）の後側面は、本体のホイールと同じ面にある、隔室の側壁である。
【００３９】
開いた構成において、グリル部は、空または天井に向かって上向きに面する格子と共に、水平に方向付けられる。開状態において、２つのグリル部（１２０）（または翼部（１２０））は、水平に、フットエンドからフットエンドへヒンジ式に相互に連結され、本体（２００）の上にレイアウトされる。開状態において、グリル部（１２０）は、平らで、水平の向きの、グリル面（１００）を形成する。
【００４０】
開状態において、本体はグリル面のための柱または台として役立つ。さらに、本体（２００）の主として中空の内部は、隔室（１２２）の中の石炭への優れた通気を供給する。空気は通気孔および他の間隙を通って本体の内部へ引き込まれる。例えば、本体側面の底縁のうちの少なくともいくつかは、地面に対して平伏するようには構成されず、しかし、通気隙間を残して、ややわずかに上げられて、構成される。
【００４１】
随意であるが好ましい機能は図面において描写される。本体は、本体（２００）の基部または下端の近くに、本体（２００）のどちらの側面にも配置された一対の支持体（１９０）をさらに含む。グリル部が引き出される時、支持体は、特に開状態において、本体を面の上で安定させる。いくつかの実施形態において、支持体（１９０）はスライドして閉じ、および開く。図面において、支持体は、開いた、延長位置において描写される（閉状態にある折り畳み可能なグリルを描写する図面においてさえ）。開いた構成において、支持体（１９０）は、外向きに、グリル部（１２０）と平行に延在する。特に翼部がグリルの本体から引き出され、開位置に広げられる時、その支持体はグリルを安定させる。用語「スタビライザー」は、用語「支持体（１９０）」と交換可能に使用されてもよい。
【００４２】
開状態において、支持体は、グリルが側面のうちの１つの方へ横転するのを防ぐ。支持体（１９０）には通気システムの一部としての通気孔（１９２）があり、その結果、閉状態において支持体が収納された時でさえ、システムを通る気流がある。閉状態において石炭に初めに点火する時、気流は重要である（以下でより詳細に説明される）。グリルが閉じたおよび／または保管中である時、通気孔は悪臭の蓄積および細菌の増殖を予防する。第１の実施形態が、本体（２００）が支持体（１９０）を含まない１つのバリエーション；本体が固定の拡張不能な支持体（１９０）（すなわち、拡張可能でも伸縮自在でもない）を含む、別のバリエーション；および、本体が、本体の下端に取り付けられた可逆的に拡張可能な（１９０）を含み、それによって支持体が地面または床面に接地する、別のバリエーション、を含むことは、明らかにされる。
【００４３】
図１Ｅは、本体（２００）の前壁および側壁を消去した、折り畳み可能なグリル（１０）の等角斜視図を例示する。これまでに記載した後者のバリエーションによると、支持体（１９０）の各々は、支持体の水平片（１９６）の中を通るスリット（１９４）を有する。支持体は、ピン（１９８）を介して台板に接続され、ピン（１９８）はまた、支持体が内および外へ、格納位置および伸展位置にスライドすることも可能にしている。
【００４４】
折り畳み可能なグリルの重要な特徴のうちの１つは、ヒンジ（１２８）を含むヒンジ式の連結機構である。ヒンジ（１２８）は回転自在に翼部（１２０）を相互に接続する。本明細書の他のところに詳述されるように、ヒンジは、折り畳み可能なグリルに蝶のような拡張板開閉機構をもたらす。ヒンジ（１２８）においてグリル部を互いに向かって回転させることにより、グリル部は開いた構成から折り畳まれた構成に移る。
【００４５】
ヒンジ（１２８）の外側の端はガイドチャネル（１３０）の中にはまっている。ガイドチャネル（１３０）は、本体（２００）の前壁および後壁の内部の面の中央に沿って延び、翼部が相互に折り畳まれる時（各々の翼部は別の翼部に向かって弧を描いて９０度動き、それにより、開いた構成における水平な向きから折り畳まれた構成における垂直な向きに動く）、垂直に向いた翼部は、チャネル（１３０）に導かれて、本体（２００）の空の内部容積の中へ下にスライドする。
【００４６】
図１Ｆは、図１ＡのＡ−Ａ断面図である。第２のガイドチャネルシステム（１４０）は図中に見ることができる。第１のグリル部および第２のグリル部は、ガイドシステム（１４０）を介して、本体に対してスライド可能である。ガイドシステム（１４０）は、本体の内部面に取り付けられた２つの細長いＹ形のチャネル（１４２）を本体の各側面に１つずつ含む。各々のＹ形のチャネルは、Ｙ形のチャネルの別れた先の上縁に取り付けられた２つのホイール（１４４）を有する。開状態から閉状態に移る時、隔室（１２２）の底はホイール（１４４）上を進む。ブッシング（１４６）は、フットエンド付近で、翼部（１２０）の下側に付けられる。グリル部が垂直な向きへ動かされる時、ブッシング（１４６）はチャネル（１４２）の中へと入り込む。翼部が本体（２００）の空の内部空間へ下げられる時、または本体の内部から上げられる時、翼部が水平な向き（開いた構成）へ開かれるまで、ブッシング（１４６）（各グリル部に一つ）はチャネル（１４２）の中を動く。
【００４７】
図２は閉状態における折り畳み可能なグリル（１０）の前面の等角図を例示する。本発明の第１の実施形態にさらに言及すること、閉状態において、グリル領域（１００）は折り畳まれた構成にあり、および本体（２００）の空の容積の内側に配置される。本体（２００）は、全般的には空のシェルであり、閉状態にある時は保管の隔室として、および開状態にある時は台として役立つ。
【００４８】
本体は閉状態において他の機能を有しており、それは以下でより詳細に説明される。本体には細長い形をしており、それは、使用の間および閉状態にある時の両方で垂直な向きにあるように意図される。図面において描写された細長い本体には、８辺の、不規則で、凸面の多角形の横断面がある。ここに描写された本体の構成は単に典型的であり、および、他の適用可能な横断面の形も、本明細書に記載され、および特許請求の範囲において定義されたような本発明の範囲内にあると考えられることは、明らかにされる。例えば、細長い本体は、円形の横断面、長方形の断面、正方形の横断面、楕円形の横断面、および実にあらゆる適用可能な形、または構成を有する場合がある。
【００４９】
本体（２００）には少なくとも部分的に、空の内部容積がある。閉状態において、グリル部（１２０）は空の内部空間へ挿入される。
【００５０】
明確性を強化するために、本体の側面は、今後指定される。前面パネルは引き出しを含む本体の側面である。本体の背面パネルは、本体のホイールがあるのと同じ側面である。右側面は、前面パネルを見る時、右側にある。
【００５１】
述べられたように、折り畳まれた状態において、グリル部（１２０）は実質的に互いに平行に（格子が対面して）折り畳まれており、および、本体の空の内部空間へ挿入されている。第１の実施形態によると、グリル部は閉状態において本体の内側に保管され、および開状態において本体の内部から取り出される。
【００５２】
閉状態から開状態に移る時、第１の工程はスイング・ハンドル（１５０）を握ることであり、それらはグリル部（１２０）のヘッドエンドに付けられており、本体（２００）から離れて上方に引かれる。便宜上、グリルはホイール（１６０）上へと傾けられる場合があり、それによって、中空の本体（２００）の内部から翼部を引き出すための更に便利な角度をユーザーにもたらす。いくつかのバリエーションにおいて、本体はホイールを含まない。次に、翼部（１２０）は、完全に（あるいはほとんど完全に）引き出され、そして、本明細書の他のところで詳述される本体（２００）に対して翼部が直角に置かれるまで左右に離される。好ましくは、ハンドル（１５０）は、木材、または陶器などの、より熱を伝えにくい材料でできたグリップ（１５２）を有する。スイング・ハンドル（１５０）は、バーベキューツールおよびアクセサリー（例えばトング、ハンドクロス、など）のための吊り下げラックの役を兼ねることができる。
【００５３】
第２の実施形態によると、第１の実施形態において記載された構成要素はすべて、第２の実施形態に含まれる。さらに、本発明の第２の実施形態は引き出し（３００）を含む。本体（２００）の前壁において、前記引き出しは取り出し可能に挿入される。前記引き出しは本体の空の内部部分より下に嵌合する。
【００５４】
引き出し（３００）は、引き出しを開く、および閉じる（取り出す、および元の所へ戻す）ためにハンドル（３０２）を有する。前記引き出しはさらに通気孔（３０４）を含み、それは、本体の中空シャフトを上に向かって酸素を隔室内の石炭まで引き込む通気システムの一部を形成する。引き出し（３００）は、特に、閉状態において点火引き出しとして機能する。開状態において、石炭はグリル部（１２０）の隔室（１２２）空間の中に積まれ、格子と共にロックされる。最良の結果のために、隔室を完全に満たすことは望ましい。その後、積まれたグリル隔室は閉状態に折り畳まれる。点火燃料は、引き出し内部に付けられた引き出し格子（３０６）（図１Ｅ、図１Ｆの少なくとも１つを参照）に置かれる。点火燃料は、調理オイルまたはライターオイルに浸されたペーパータオル、乾燥した小枝および拡張板、軽油をしみ込ませた石炭、ヘキサミン燃料タブレットなどであり得る。一旦点火されると、引き出し（３００）は閉じられ、および、煙突効果（「スタック・エフェクト（ｓｔａｃｋ  ｅｆｆｅｃｔ）」とも呼ぶ）により、炎と熱は増し、石炭に点火する。通気孔（３０４）（支持体（１９０）の穴（１９２）と同様に）は、炎と熱を維持する酸素を引き込むために必要な開口部を供給する。
【００５５】
煙突効果は、図２Ｃにおいて矢印（３１０）により表示されており、これによって、引き出し格子（３０６）上の点火燃料から出る小さな炎が、グリル部（１２０）によって作られた煙突形のファンネル及びそこに積まれた石炭を通って広がる。煙突効果は、石炭を非常に速やかに且つ効率的に加熱して、バーベキューの起動時間を有意に縮小する。例えば、最善のシナリオは、石炭を速やかに所望の温度に至らせるために煙突効果を利用して、初期点火時間が５〜７分である。他の推定値によると、初期加熱時間は１０〜１５分の間であり得る。いずれにしても、本発明の折り畳み可能なグリルは、より迅速に、およびより効率的に、準備することができる。
【００５６】
引き出し（３００）には付加的な機能がある。一旦石炭が灰へと全焼したならば、灰は開状態において隔室（１２２）の底に集まる。グリル部が閉状態に折り畳まれた時、灰は、隔室（１２０）のフットエンド側壁に設けられた開口部（１１０）を通って排出される。折り畳まれた構成において、前記開口部は前記隔室の底にあり、および灰は引き出し（３００）の中へ降下する。引き出し（３００）は完全に本体（２００）から外に出て、および、そこから灰はごみに移すことができる。いかなる残りの、部分的に使用された石炭も、翼部において保管され、次のバーベキューのために再度使用することができる。混乱も、面倒もない。掃除するのに容易であり、および部分的に用いられた石炭を廃棄する代わりに、燃料を再使用する。
【００５７】
折り畳み可能なグリルのための予見されたアクセサリーは、あらかじめパッケージにされた石炭のカートリッジである。カートリッジは隔室と同じサイズおよび形であり、そこに嵌合する。ユーザーはカートリッジを２個、各グリル部のために１つずつ、購入し、および所定位置にカートリッジを挿入する。グリルは閉状態に折り畳まれている。必要とされるか、または直ちに使用されるまで、グリルはこの状態でとどまることができる。どちらにせよ、使用のための準備ができている時、点火燃料は引き出し（３００）の中へ積まれ、点火される。煙突効果は可燃性のパッケージ（それはパッケージを開かずに、および石炭を取り出さずに点火されるように設計されている）に点火し、および石炭を非常に速やかにグリルのための所望の準備に至らせる。カートリッジは一組のマッチおよび／または特に可燃性の領域を含むことができ、それは煙突効果の結果を向上させる。アクセサリーの使用は火を生じさせるプロセスをさらに簡易化し、不必要に汚れることからユーザーを救い、しかし石炭を直接扱う必要性を回避させる。カートリッジは密閉され、および清潔であり、ユーザーの手に重大な汚れや石炭汚れを残さない。
【００５８】
付加的な随意の特徴は、本体（２００）の基礎において、本体の後壁の下部において、前記本体に付けられた、一対のホイール（２２０）である。図２Ａは、閉状態における、折り畳み可能なグリル（１０）の後ろの等角図である。ホイール（２２０）はこの視点から可視である。グリルは、ホイール（２２０）に載せ、およびドーリー（手押し車）のように周囲を動かすために、傾けることができる。グリルは、後部ハンドル（２０２）を保持することにより、周囲を動かすことができる。
【００５９】
別の可能な構成および実施形態は図１Ｇにおいて示される。図１Ｇは、第３の実施形態による、開状態における折り畳み可能なグリル（１０）の前からの等角斜視図である。
【００６０】
第３の実施形態はまた、第１のおよび／または第２の実施形態の変形とも考えられる。同様に、第２の実施形態も第１の実施形態の変形と考えられる。第３の実施形態またはバリエーションは、最初の２つの実施形態の構造上の特徴のすべて、およびそれらのバリエーションのすべてを、変更すべき点を変更して含む。前述の特徴のすべてに加えて、本実施形態において、各グリル部（１２０）は、格子（１２４）と隔室（１２２）の下部との間で配置されたグリルネット（１７０）をさらに含む。グリルネットは、その中に通気孔（１７２）を形成された中実な平面形状を有する。グリルネットは、高さにおいて、隔室（１２２）を２つの小隔室、石炭ための上の小隔室、および灰ための下の小隔室、に分割する。通気孔（１７２）には二重の目的がある。一方では、通気孔は、灰がフィルタされて下の小隔室たどり着くことを可能にする。他方では、反対方向に、様々な通気口から中に入る空気が通気孔を通って石炭に抜ける。フィルタ穴は、通気口および他の開口部（例えば灰開口部（１１０））を通って中へ入る空気を均一に広げる。通気孔（１７２）は、グリルの中央のヒンジ式の領域に向かって、互いにより近く間隔を置かれる。より高密度のフィルタ穴はその領域をより熱くし（より多くの空気がフィルタ穴を通り抜けるので）、一方、（翼部の端における）より低密度の穴は、より低温の領域をもたらす。従って、より多くの熱を必要とする食品を中央付近に、および、熱をあまり必要としない食品を外端へ、というように、ユーザーは加熱の必要性に応じて食品を配置することができる。
【００６１】
灰は、石炭からグリルネットを通って落下し、および隔室（１２２）の底に集まる。上に述べられたように、翼部の石炭隔室の底に集められた灰は、開口部（１１０）を通って落下し、その開口部（１１０）はフットエンドにあり、および翼部が垂直の向きにある時に下向きに開く。図２Ｂは、閉状態における、折り畳み可能なグリル（１０）の側面図である。図２Ｃは、図２Ｂの断面Ｂ−Ｂの横断面図である。
【００６２】
別の付加的な、随意の特徴（図示せず）は、加熱効率間仕切りである。加熱効率間仕切りは、グリッド・ネット（１７０）と同じ大きさおよび形の、薄いパネルまたは間仕切りである。加熱効率間仕切りは、グリッド・ネット（１７０）と隔室（１２２）の底との間に配置される。加熱効率間仕切りは、閉状態にあり、初期点火の段階の間、煙突効果を適用する時のみ、適所に置かれる。２つの加熱効率間仕切りは、各グリル部（１２０）のために１ずつあり、煙突領域を小さくし、そのことにより、点火燃料が引き出し（３００）の中で燃える時、熱と燃焼効率を増加させる。一旦閉じた構成になると、空気が石炭を通り抜け、および灰が下の小隔室の中へ落ちるように、加熱効率間仕切りが取り除かれる。煙突効果は、図２Ｃにおいて矢印（３１０）により表示されており、これによって、引き出し格子（３０６）上の点火燃料から出る小さな炎が、グリル部（１２０）によって作られた煙突形のファンネル及びそこに積まれた石炭を通って広がる。
【００６３】
別の随意の特徴は、グリルから煙を中心に集めるための煙排気ファンネルまたはテント状のものである。１つのオプションは、本体（２００）および／またはグリル部（１２０）の内部から延在する、望遠鏡状のアンテナのような部材である。アンテナ状部材は適所に伸ばされ、および、普通の、使い捨ての、金属フォイルがアンテナ状部材の形態に広げられる。上記形態は、全ての煙が分散するために、グリル面の上の中央部分を空けたままにする。随意に、ハンドルは、ハンドル上に金属フォイル・ロールを配置するために、グリル部の側面に取り付けることができる。別のオプションは、普通の、望遠鏡状ではない、アンテナ状部材であり得る。別のオプションは、折り畳み可能なグリルと共に売られる、煙突アクセサリーであり得る。アクセサリーはフォイル・ロールの代わりに使用することができる材料である。
【００６４】
本発明は限られた数の実施形態に関して記載されているが、多くの改良、修正、および本発明の他の適用がなされてもよいことが企図されよう。したがって、以下の特許請求の範囲に詳述されているような請求項に係る発明は、本明細書に記載の実施形態に限定されない。
【図１】
2021511940.tif 000003
【図１Ａ】
2021511940.tif 000004
【図１Ｂ】
2021511940.tif 000005
【図１Ｃ】
2021511940.tif 000006
【図１Ｄ】
2021511940.tif 000007
【図１Ｅ】
2021511940.tif 000008
【図１Ｆ】
2021511940.tif 000009
【図１Ｇ】
2021511940.tif 000010
【図２】
2021511940.tif 000011
【図２Ａ】
2021511940.tif 000012
【図２Ｂ】
2021511940.tif 000013
【図２Ｃ】
2021511940.tif 000014
【国際調査報告】
2021511940.tif 000015
2021511940.tif 000016